(57)【要約】【課題】本発明は、防水性に優れた電子機器を提供する。【解決手段】ポータブルコンピュータ１０は、スロット２３を有する第１の筐体２１と、光ディスク駆動装置４０とイジェクト機構８０とシール部材５０とを備える。光ディスク駆動装置４０は、トレイ４２と、トレイ４２の先端に設けられるベゼル４３とを有する。トレイ４２が第１の筐体２１に入り込む第１の位置Ｐ１に移動した時に、ベゼル４３は、スロット２３の内側に入り込んでスロット２３を閉じる。イジェクト機構８０は、トレイ４２を第１の位置Ｐ１から第１の筐体２１の外方に飛び出す第２の位置Ｐ２に移動させる。シール部材５０は、スロット２３の内側縁部２４全周に亘って設けられるベース部５１と、ベース部５１からスロット２３の内側に向かって突出する突部５２とを有し、トレイ４２が第１の位置Ｐ1に移動した時に、ベゼル４３とスロット２３との間を塞ぐ。【選択図】      図２
2006018903.tif 000002
【特許請求の範囲】
【請求項１】
スロットを有する筐体と、
ディスクを取り外し可能に支持するトレイと、上記トレイの先端に設けられるベゼルとを有し、上記トレイは上記筐体に入り込む第１の位置と、上記スロットから上記筐体の外方に飛び出す第２の位置との間で移動可能であるとともに、上記トレイが上記第１の位置に移動した時に、上記ベゼルが上記スロットの内側に入り込んで上記スロットを閉じるディスク駆動装置と、
上記トレイを上記第１の位置から上記第２の位置に移動させるイジェクト機構と、
上記筐体に設けられ、上記トレイが第１の位置に移動した時に、上記ベゼルと上記スロットとの間を塞ぐシール部材と、を具備し、
上記シール部材は、上記スロットの内側縁部全周に亘って設けられるベース部と、上記ベース部から上記スロットの内側に向かって突出する突部とを有することを特徴とする電子機器。
【請求項２】
請求項１の記載において、
上記シール部材は、補助突部を備え、
上記補助突部は、上記ベース部から上記スロットの上記内側に向かって突出し、上記ベゼルの周面の少なくとも一部と密着することを特徴とする電子機器。
【請求項３】
請求項２の記載において、
上記突部と上記補助突部とは、上記トレイの移動方向に間隙を存して並んでいることを特徴とする電子機器。
【請求項４】
請求項１から請求項３のうちのいずれか１項の記載において、上記トレイを上記第１の位置にロックするロック機構を具備することを特徴とする電子機器。
【請求項５】
請求項１から請求項３のうちのいずれか１項の記載において、上記ベゼルが上記シール部材から離脱する位置まで、上記トレイを上記第１の位置から上記第２の位置に向けて移動させる補助イジェクト機構を具備することを特徴とする電子機器。
【請求項６】
請求項１から請求項３のうちのいずれか１項の記載において、上記ベゼルが上記シール部材から離脱する位置まで、上記トレイを上記第１の位置から上記第２の位置に向けて移動させる補助イジェクト機構と、
上記トレイを上記第１の位置にロックするロック機構と、
を具備することを特徴とする電子機器。
【請求項７】
請求項６の記載において、
上記補助イジェクト機構は、上記ロック機構による上記トレイのロックを解除するロック解除機構を備えていることを特徴とする電子機器。
【請求項８】
スロットを有する筐体と、
ディスクを取り外し可能に支持するトレイと、上記トレイの先端に設けられたベゼルとを有し、上記トレイは上記筐体内に入り込む第１の位置と、上記スロットから上記筐体の外方に飛び出す第２の位置との間で移動可能であるとともに、上記トレイが上記第１の位置に移動した時に、上記ベゼルが上記スロットの内側に入り込んで上記スロットを閉じるディスク駆動装置と、
上記トレイが上記第１の位置に移動した時に、上記ベゼルと上記スロットとの間を塞ぐシール部材と、
上記トレイを上記第１の位置から上記第２の位置に移動させる第１のイジェクト機構と、
上記ベゼルが上記シール部材から離脱する位置まで上記トレイを上記第１の位置から上記第２の位置に向けて移動させる第２のイジェクト機構と、
を具備したことを特徴とする電子機器。
【請求項９】
請求項８の記載において、上記ベゼルを上記第１の位置にロックするロック機構を具備することを特徴とする電子機器。
【請求項１０】
請求項９の記載において、上記第２のイジェクト機構は、上記ロック機構による上記トレイのロックを解除するロック解除機構を備えていることを特徴とする電子機器。
【発明の詳細な説明】
【技術分野】
【０００１】
本発明は、例えば光ディスク駆動装置などのディスク駆動装置を備える電子機器に関する。
【背景技術】
【０００２】
例えばポータブルコンピュータは、光ディスクなどのディスクを読み込むディスク駆動装置を備えている。このディスク駆動装置は、キーボードが設けられている筐体内部に搭載されることが多い。
【０００３】
この種のディスク駆動装置の構造として、ディスクを取り外し可能に支持するトレイを備える構造がある。このようなディスク駆動装置では、トレイが例えばポータブルコンピュータの筐体の側面に開口するスロットから筐体の外方に出てくる。トレイは、イジェクト機構によって移動される。ディスクは、トレイが筐体の外方に出てきた状態でトレイに取り付けられる。または、取り外される。
【０００４】
また、トレイの先端には、スロットと嵌合するベゼルが取り付けられている構造がある。ベゼルは、トレイが駆動装置の内部に収容されるとスロットを閉じる。
【０００５】
しかし、スロットとベゼルとの間から塵などが侵入することがある。この塵が内部に侵入すると、ポータブルコンピュータが動作不能に陥るといった問題が生じてくる。
【０００６】
このため、防塵対策として、ベゼルの周面に防塵用のシール部材を設ける構造が提案されている（例えば、特許文献１参照。）。
【特許文献１】特開平１０−１６２５６５号公報
【発明の開示】
【発明が解決しようとする課題】
【０００７】
ところで、ポータブルコンピュータは、外に持ち出されて使用される場合がある。また、ポータブルコンピュータの付近に置かれた飲み物がこぼれる場合が考えられる。
【０００８】
これらの状況では、スロットとベゼルとの間から水などの液体が浸入することが考えられる。しかし、特許文献１で提案されている構造では、防水対策までは考慮されていない。  したがって、本発明は、防水性に優れた電子機器を提供することを目的とする。
【課題を解決するための手段】
【０００９】
上記目的を達成するため、本発明の１つの形態に係る電子機器は、スロットを有する筐体と、ディスク駆動装置と、イジェクト機構と、シール部材とを備える。ディスク駆動装置は、ディスクを取り外し可能に支持するトレイと、上記トレイの先端に設けられるベゼルとを有する。上記トレイは上記筐体に入り込む第１の位置と、上記スロットから上記筐体の外方に飛び出す第２の位置との間で移動可能である。上記トレイが上記第１の位置に移動した時に、上記ベゼルは、上記スロットの内側に入り込んで上記スロットを閉じる。上記イジェクト機構は、上記トレイを上記第１の位置から上記第２の位置に移動させる。上記シール部材は、上記筐体に設けられ、上記トレイが第１の位置に移動した時に、上記ベゼルと上記スロットとの間を塞ぐ。上記シール部材は、上記スロットの内側縁部全周に亘って設けられるベース部と、上記ベース部から上記スロットの内側に向かって突出する突部とを有する。
【発明の効果】
【００１０】
本発明によれば、防水性に優れた電子機器を得ることができる。
【発明を実施するための最良の形態】
【００１１】
本発明の１実施の形態に係る電子機器について、ポータブルコンピュータ１０を一例に、図１から図８を参照して説明する。
【００１２】
図１に示すように、ポータブルコンピュータ１０は、コンピュータ本体２０と、表示ユニット３０とを備えている。コンピュータ本体２０は、第１の筐体２１を有している。第１の筐体２１は、本発明で言う、筐体の一例である。第１の筐体２１は、扁平な箱状である。第１の筐体２１は、底壁２１ａと、上壁２１ｂと、前壁２１ｃと、左側壁２１ｄと、右側壁２１ｅと、後壁２１ｆとを有している。
【００１３】
表示ユニット３０は、第２の筐体３１と、液晶表示パネル３２とを備えている。液晶表示パネル３２は、第２の筐体３１に収容されている。液晶表示パネル３２は、画像を表示するスクリーン３２ａを有している。スクリーン３２ａは、第２の筐体の前面に形成された開口部３１ａを通じて第２の筐体３１の外方に露出している。
【００１４】
第２の筐体３１は、第１の筐体２１の後端部に図示しないヒンジを介して支持されている。表示ユニット３０は、閉じ状態と、開き状態との間で回動自由である。閉じ状態は、表示ユニット３０がキーボード２２を上方から覆うようにコンピュータ本体２０の上に横たわる状態である。開き状態は、表示ユニット３０がキーボード２２やスクリーン３２ａを露出させるようにコンピュータ本体２０に対して起立する状態である。
【００１５】
コンピュータ本体２０は、光ディスク駆動装置４０と、イジェクト機構８０と、シール部材５０と、ロック機構６０と、補助イジェクト機構７０とを備えている。
【００１６】
光ディスク駆動装置４０は、本発明で言うディスク駆動装置の一例である。図２に示すように、光ディスク駆動装置４０は、第１の筐体２１の内部に収容されている。光ディスク駆動装置４０は、装置本体４１とトレイ４２とベゼル４３とを備えている。
【００１７】
装置本体４１は、光ディスクの情報を読み込んだり、または情報を光ディスクに書き込んだりするなどの機能を有している。装置本体４１の１側面には、開口４１ａが形成されている。装置本体４１は、開口４１ａから出し入れ可能にトレイ４２を収容している。
【００１８】
装置本体４１は、開口４１ａが第１の筐体２１の左側壁２１ｄに対向するように第１の筐体２１内に固定されている。左側壁２１ｄには、装置本体４１の開口４１ａと対向する位置にスロット２３が開口している。スロット２３は、トレイ４２が通過可能な大きさを有している。このため、トレイ４２は、第１の位置Ｐ１からスロット２３を通して、第１の筐体２１の外方へ出ることができる。第１の位置は、トレイ４２が装置本体４１に入り込んでいる位置である。
【００１９】
ベゼル４３は、トレイ４２の先端に設けられている。ベゼル４３は、スロット２３に嵌合する形状である。ベゼル４３は、トレイ４２が第１の位置にあるときにスロット２３を閉じる。なお、装置本体４１側に面するベゼル４３の側面には、図示しない溝が形成されており、トレイ４２が第１の位置Ｐ１にあるときには、装置本体４１の一端部はベゼル４３の溝内に収容されるようになっている。
【００２０】
イジェクト機構８０は、例えば装置本体４１の内部に収容されている。イジェクト機構８０は、本発明で言う第１のイジェクト機構の一例である。イジェクト機構８０は、トレイ４２を第１の位置Ｐ１と第２の位置Ｐ２との間で移動する。図２に２点鎖線で示すように、本実施の形態では、第２の位置は、トレイ４２に光ディスクを取り付け可能な位置である。または、光ディスクを取り外し可能な位置である。イジェクト機構８０は、図示していない駆動スイッチによって駆動される。
【００２１】
シール部材５０は、環状であって、スロット２３の内側縁部２４の全周に亘って設けられている。内側縁部２４は、底縁２４ａと上縁２４ｂと両側縁２４ｃとから構成されている。底縁２４ａは、図３と図４とに示すように、第１の筐体２１の底壁２１ａの一部に設けられている。上縁２４ｂは、第１の筐体２１の上壁２１ｂの一部に設けられている。
【００２２】
図２と図５に示すように、それぞれ側縁２４ｃは、第１の筐体２１の左側壁２１ｄの一部が第１の筐体２１の内側に突出することによって形成されている。それぞれ側縁２４ｃは、底縁２４ａと上縁２４ｂとの間に亘って延びている。このため、内側縁部２４は、スロット２３を覆う一続きの囲いの形状である。
【００２３】
なお、内側縁部２４は、上記した構造に限定されるものではない。要するに、内側縁部２４は、環状のシール部材５０が設けられればよい。
【００２４】
シール部材５０は、図５に示すように、ベース部５１と、突部５２と、補助突部５３とを有している。なお、図５は、図２から光ディスク駆動装置４０を取り除いた状態を示している。
【００２５】
ベース部５１は、スロット２３の内側縁部２４の全周に亘って設けられており、固定されている。ベース部５１において底縁２４ａに対応する部位の略中央部分は、後述するロック機構６０のロック部材６１を避けて凹む第１の凹部５１ａを有している。
【００２６】
突部５２は、ベース部５１と一体に形成されている。突部５２は、ベース部５１において第１の凹部５１ａを避けた全周から、スロット２３の内側に向かって突出している。図４に示すように、突部５２の形状は、略円弧状である。図３に示すように、突部５２は、トレイ４２が第１の位置Ｐ１にあるときにベゼル４３と内側縁部２４との間で多少押し潰されるが、略点接触している。突部５２は、ベース部５１の面積よりも少ない面積でベゼル４３の周面の全周に亘って密着している。
【００２７】
また、突部５２は、スロット２３とベゼル４３とに相対的な寸法公差がある場合は、変形することによって、その寸法公差を吸収している。これにより、突部５２は、トレイ４２が第１の位置Ｐ１にあるときに、スロット２３の内側縁部２４とベゼル４３との間を液密に塞いでいる。
【００２８】
補助突部５３は、ベース部５１と一体に形成されている。図５に示すように、補助突部５３は、突部５２に対してトレイ４２の移動方向に第１の筐体２１の内側に配置されており、スロット２３の内側に向かって突出している。補助突部５３は、第１の凹部５１ａによって切れているが、上縁２４ｂと両側縁２４ｃと第１の凹部５１ａを除いた底縁２４ａでは、一続きに形成されている。
【００２９】
図４に示すように、補助突部５３の形状は、略円弧状である。図３に示すように、補助突部５３は、トレイ４２が第１の位置Ｐ１にあるときにベゼル４３と内側縁部２４との間で多少押し潰されるが、ベゼル４３の周面と略点接触している。補助突部５３は、ベース部５１の面積よりも少ない面積でベゼル４３の周面と密着している。また、補助突部５３は、スロット２３とベゼル４３とに相対的な寸法公差がある場合は、変形することによって、その寸法公差を吸収している。
【００３０】
また、図５に示すように、第１の凹部５１ａに面する補助突部５３の両端部５３ａは、それぞれ突部５２と一体に接続されている。このため、補助突部５３は、トレイ４２が第１の位置Ｐ１にあるときに、スロット２３の内側縁部２４とベゼル４３との間を液密に塞いでいる。
【００３１】
つまり、シール部材５０は、トレイ４２が第１の位置Ｐ１にあるときに、スロット２３の内側縁部２４とベゼル４３との間を液密に塞いでいる。なお、本実施の形態では、突部５２は、１本形成されているが、これに限定されるものではない。突部５２は、複数形成されてもよい。同様に、補助突部５３も複数形成されてもよい。
【００３２】
ロック機構６０は、ロック部材６１と、ロック部材６１を付勢する手段としてのばね６２とを備えている。図５と図６とに示すように、ロック部材６１は、第１の筐体２１の左側壁２１ｄに沿って配置されている。ロック部材６１において、左側壁２１ｄと反対側端部は、第１の軸６３によって第１の筐体２１の底壁２１ａに設けられた支持部６４に、底壁２１ａから離れる方向に回動自由に取り付けられている。
【００３３】
ロック部材６１は、トレイ４２とベゼル４３とよりも低く設けられているので、トレイ４２の移動の邪魔をしない。
【００３４】
ロック部材６１の左側壁２１ｄ側端部は、二股に分かれており、シール部材５０のベース部５１の第１の凹部５１ａの内側まで延びている。ロック部材６１の左側壁２１ｄ側端部には、それぞれ係合突部６５が設けられている。
【００３５】
図７と図８とに示すように、係合突部６５は、上方に向かって突出している。ベゼル４３は、トレイ４２が第１の位置Ｐ１にあるときに係合突部６５に対応する部位に、係合凹部６６が形成されている。係合凹部６６は、係合突部６５を収容可能な大きさを有している。また、図５に示すように、ロック部材６１は、係合突部６５と反対側端部の中央部の一部が切欠かれており、第２の凹部６１ａを形成している。
【００３６】
図７と図８とに示すように、ばね６２は、ロック部材６１と第１の筐体２１の底壁２１ａとの間に設けられている。ばね６２は、ロック部材６１を上方に付勢している。このため、トレイ４２が第１の位置Ｐ１にあるときには、係合突部６５が係合凹部６６に収容される。これにより、係合突部６５と係合凹部６６とが係合される。ロック機構６０は、トレイ４２を第１の位置Ｐ１にロックする。
【００３７】
補助イジェクト機構７０は、本発明で言う第２のイジェクト機構の一例である。補助イジェクト機構７０は、図５と図６とに示すように、第１のリンク部材７１と第２のリンク部材７２とを備えている。第１のリンク部材７１は、１方向に延びる板状である。第１のリンク部材７１は、第１の筐体２１の左側壁２１ｄに沿って配置されている。第１のリンク部材７１の中央部は、第２の軸７３によって、底壁２１ａに略沿って回動自由に第１の筐体２１に支持されている。
【００３８】
第１のリンク部材７１の一端部は、ロック部材６１の第２の凹部６１ａまで延びるとともに、折れ曲がってベゼル４３に向かって延びて押出部７４を形成している。押出部７４は、二股に分かれている。図７に示すように、押出部７４は、ロック部材６１の上方に位置しており、ベゼル４３の下端と対向している。押出部７４は、ロック部材６１が第２の軸７３回りに回動することによって、ベゼル４３をスロット２３から押し出す。
【００３９】
また、押出部７４の根元部分には、ロック解除突部７５が形成されている。ロック解除突部７５は、第１の筐体２１の底壁２１ａに向かって突出している。ロック解除突部７５は、トレイ４２が第１の位置Ｐ１にあるときには、ロック部材６１の第２の凹部６１ａの内側に収容されている。
【００４０】
図８に示すように、押出部７４がベゼル４３を押し出す場合は、押出部７４の移動に伴ってロック解除突部７５が第２の凹部６１ａから出てロック部材６１と接触する。これにより、ロック部材６１が下方に押される。ロック解除突部７５は、押出部７４の移動に伴って係合突部６５が係合凹部６６から外れるまでロック部材６１を下方に押す。
【００４１】
また、ロック解除突部７５は、係合突部６５と係合凹部６６との係合状態を解除した後に、係合突部６５の上方に係合凹部６６が位置しなくなるまではロック部材６１を下方に押し続けるため、押出部７４の移動方向に所定の長さを有している。
【００４２】
図５と図６とに示すように、第２のリンク部材７２は、１方向に延びる板形状である。第２のリンク部材７２の一端部は、第１のリンク部材７１において第２の軸７３を挟んで押出部７４と反対側端部と、第３の軸７６によって底壁２１ａに略沿って回動自由に連結されている。第２のリンク部材７２の他端部は、押圧部７７を形成している。押圧部７７は、第１の筐体２１の左側壁２１ｄに形成された押圧孔７８内に収容されている。押圧孔７８は、左側壁２１ｄを貫通している。
【００４３】
押圧部７７が押圧されると、第２のリンク部材７２が第１の筐体２１の内側に向かって移動する。第２のリンク部材７２が第１の筐体２１の内側に向かって移動すると、第１のリンク部材７１が第２の軸７３回りに回動する。
【００４４】
図８に２点鎖線で示すように、補助イジェクト機構７０は、上記構造により、ベゼル４３がシール部材５０から離脱する離脱位置Ｐ３まで、第１の位置Ｐ１から第２の位置Ｐ２に向けてトレイ４２を押し出す。このため、ロック解除突部７５の大きさは、ロック部材６１の第２の凹部６１ａから出てロック部材６１の上方に乗り上げることができる大きさである。
【００４５】
また、第１のリンク部材７１は、ベゼル４３がシール部材５０から離脱される離脱位置Ｐ３までトレイ４２を押し出した後は、その姿勢が保たれる。これにより、ロック部材６１は、ロック解除突部７５によって係合突部６５が係合凹部６６と係合しない位置まで第１の軸６３まわりに回動した状態が保たれる。
【００４６】
また、トレイ４２が第１の位置Ｐ１に戻されると、ベゼル４３が押出部７４を押すことによって、押出部７４がベゼル４３を押し出す方向とは逆の方向に第１のリンク部材７１が第２の軸７３回りに回動する。このため、トレイ４２が第１の位置Ｐ１にあるときには、押出部７４の先端部は、ベゼル４３に略当接された状態となっている。
【００４７】
さらに、図７に示すように、係合凹部６６は、トレイ４２が第１の位置Ｐ１にあるときには、係合突部６５と係合凹部６６の第１のリンク部材７１側端との間に移動代７９が設けられる大きさを有している。この移動代７９は、押出部７４がベゼル４３を押し出し始めてから、係合突部６５と係合凹部６６との係合状態が完全に解除されるまでトレイ４２を移動可能とするためである。
【００４８】
つぎに、トレイ４２に光ディスクを取り付ける場合を一例に、ポータブルコンピュータ１０の動作を説明する。
【００４９】
図３と図７とに示すように、トレイ４２が第１の位置Ｐ１にあるときは、ベゼル４３は、スロット２３の内側縁部２４の内側に収容されている。突部５２と補助突部５３とは、ベゼル４３の周面と密着しており、スロット２３の内側縁部２４とベゼル４３の周面との間を液密に塞いでいる。この状態で、水などの液体が第１の筐体２１の左側壁２１ｄに掛かっても、液体はスロット２３の内側縁部２４とベゼル４３の周面との間からコンピュータ本体２０の内部に浸入することはない。
【００５０】
ついで、ポータブルコンピュータ１０の使用者は、光ディスク駆動装置４０に取り付ける光ディスクが用意されると、イジェクト機構８０を駆動する駆動スイッチを押す。駆動スイッチが押されると、イジェクト機構８０は、トレイ４２を装置本体４１から押し出そうとする。
【００５１】
ついで、補助イジェクト機構７０の押圧部７７を第１の筐体２１の内側に向かって押圧する。押圧部７７が押圧されると、第２のリンク部材７２が第１の筐体２１の内側に向かって移動される。第２のリンク部材７２が第１の筐体２１の内側に向かって移動されると、第３の軸７６によって回動自由に連結された第１のリンク部材７１の一端部が、第２のリンク部材７２とともに第１の筐体２１の内側に移動する。
【００５２】
これにより、第１のリンク部材７１が第２の軸７３回りに回動して、押出部７４がベゼル４３を押し出し始める。押出部７４がベゼル４３を所定距離押し出すと、ロック解除突部７５はロック部材６１と当接し、ロック部材６１を下方に押し始める。
【００５３】
図８に示すように、押出部７４がベゼル４３をさらに押し出すと、ロック解除突部７５によって係合突部６５と係合凹部６６との係合状態が解除されるまでロック部材６１が第１の軸６３まわりに回動する。押圧部７７がさらに押し込まれると、押出部７４は、さらにベゼル４３を押し出す。図８に２点鎖線で示すように、シール部材５０とベゼル４３との密着状態が解除される離脱位置Ｐ３までトレイ４２が押し出されると、ベゼル４３にはシール部材５０との摺動抵抗が作用しなくなる。
【００５４】
イジェクト機構８０は、駆動スイッチが押されることによって、トレイ４２が第１の位置Ｐ１から離脱位置Ｐ３に至るまでの間、トレイ４２を押し出そうと駆動し続けている。このため、このため、図２に示すように、トレイ４２は、離脱位置Ｐ３に至ると、イジェクト機構８０によって第２の位置Ｐ２まで押し出される。
【００５５】
トレイ４２が第２の位置Ｐ２に至ると、トレイ４２に光ディスクが取り付けられる。トレイ４２に光ディスクが取り付けられると、ポータブルコンピュータ１０の使用者は、イジェクト機構８０の駆動スイッチを押す。イジェクト機構８０は、駆動スイッチが押されると、トレイ４２を装置本体４１に引き戻す。この際、ベゼル４３がシール部材５０と接触する位置、つまり離脱位置Ｐ３までトレイ４２が引き戻されると、使用者は、ベゼル４３を押し込む。ベゼル４３が押し込まれることによって、トレイ４２は、再び第１の位置Ｐ１に戻る。
【００５６】
このように、ポータブルコンピュータ１０のシール部材５０は、スロット２３の内側縁部２４の全周に固定されるベース部５１の全周から突部５２が突出し、突部５２がベゼル４３の周面の全周に亘って密着する構造である。このため、スロット２３の内側縁部２４とベゼル４３との周面との間から水などの液体が浸入することを防ぐことができる。つまり、ポータブルコンピュータ１０の防水性が向上する。
【００５７】
また、突部５２は、ベース部５１の面積よりも小さい面積でベゼル４３の周面に密着する。このため、シール部材５０とベゼル４３の周面との摺動抵抗を小さくすることができる。つまり、スロット２３の内側縁部２４とベゼル４３の周面との間を液密に塞ぐために、シール部材５０とベゼル４３の周面との密着性を向上させても、シール部材５０とベゼル４３の周面との摺動抵抗を抑えることができる。
【００５８】
さらに、突部５２は、押し潰されるなど変形することによって、スロット２３の内側縁部２４とベゼル４３との相対的な寸法公差を吸収するので、ポータブルコンピュータ１０の防水性を向上することができる。
【００５９】
さらに、突部５２は、円弧状に突出するので、ベゼル４３の周面との密着面積を小さくすることができる。このため、シール部材５０とベゼル４３の周面との摺動抵抗を抑えることができる。
【００６０】
また、シール部材５０は、補助突部５３を備えている。これにより、ポータブルコンピュータ１０の防水性が向上される。補助突部５３の両端部５３ａは、それぞれ突部５２に接続されている。これにより、補助突部５３は、スロット２３の内側縁部２４とベゼル４３の周面との間を液密に塞ぐので、ポータブルコンピュータ１０の防水性が向上される。
【００６１】
さらに、補助突部５３は、押し潰されるなど変形することによって、スロット２３の内側縁部２４とベゼル４３との相対的な寸法公差を吸収するので、ポータブルコンピュータ１０の防水性を向上することができる。
【００６２】
さらに、補助突部５３は、円弧状に突出するので、ベゼル４３の周面との密着面積を小さくすることができる。このため、シール部材５０とベゼル４３の周面との摺動抵抗を抑えることができる。
【００６３】
また、ポータブルコンピュータ１０は、ロック機構６０を備えている。これにより、トレイ４２が不意にコンピュータ本体２０から飛び出ることが抑制される。
【００６４】
また、ポータブルコンピュータ１０は、補助イジェクト機構７０を備えている。補助イジェクト機構７０は、ベゼル４３がシール部材５０から離脱する離脱位置Ｐ３までトレイ４２を押し出す。これにより、シール部材５０とベゼル４３の周面との液密性を高めるためにシール部材５０とベゼル４３の周面との密着力を高めても、トレイ４２を第２の位置まで移動することができる。つまり、ポータブルコンピュータ１０は、操作性を考慮しつつ、防水性が向上される。
【００６５】
また、補助イジェクト機構７０は、ロック機構６０のロック状態を解除するロック解除機構も兼ねている。つまり、ロック解除機構は、補助イジェクト機構７０の構造を利用して構成されているので、別途に構成されることがない。これにより、ポータブルコンピュータ１０は、部品点数が削減される。
【００６６】
本実施の形態では、第２の位置Ｐ２は、トレイ４２がディスクを取り換え可能な位置としたが、これに限定されるものではない。例えば、イジェクト機構８０が、トレイ４２を装置本体４１から少しだけ突出させる構造であり、ポータブルコンピュータ１０の使用者によってトレイ４２が移動される場合は、第２の位置は、イジェクト機構８０によって突出される位置である。
【００６７】
また、シール部材５０は、スロット２３の内側縁部２４に固定されたが、これに限定されるものではない。例えば、シール部材５０は、ベゼル４３の周面に固定されてもよい。または、シール部材５０は、スロット２３の内側縁部２４とベゼル４３の周面の両方に設けられてもよい。
【図面の簡単な説明】
【００６８】
【図１】本発明の１実施形態に係るポータブルコンピュータの斜視図。
【図２】図１に示されたＦ１−Ｆ１線に沿って示す断面図。
【図３】図１に示されたＦ３−Ｆ３線に沿って示される断面図。
【図４】図３に示されたトレイが移動した状態を示した断面図。
【図５】図２に示されたポータブルコンピュータから光ディスク駆動装置を取り外して示す断面図。
【図６】図１に示されたポータブルコンピュータから光ディスク駆動装置を取り外して第１の筐体の左側壁の一部を切り欠いて示す斜視図。
【図７】図１に示されたＦ７−Ｆ７線に沿って示される断面図。
【図８】図７に示されたトレイが離脱位置まで押し出された状態を示す断面図。
【符号の説明】
【００６９】
１０…ポータブルコンピュータ（電子機器）、２１…第１の筐体（筐体）、２３…スロット、２４…内側縁部、４０…光ディスク駆動装置（ディスク駆動装置）、４３…ベゼル、５０…シール部材、５１…ベース部、５２…突部、５３…補助突部、６０…ロック機構、７０…補助イジェクト機構（第２のイジェクト機構）、８０…イジェクト機構（第１のイジェクト機構）、Ｐ１…第１の位置、Ｐ２…第２の位置、Ｐ３…離脱位置（離脱する位置）。
【図１】
2006018903.tif 000003
【図２】
2006018903.tif 000004
【図３】
2006018903.tif 000005
【図４】
2006018903.tif 000006
【図５】
2006018903.tif 000007
【図６】
2006018903.tif 000008
【図７】
2006018903.tif 000009
【図８】
2006018903.tif 000010